(57)【要約】【課題】  脚端具の取付作業を効率よくし、傾斜脚に対しても適用できるようにする。【解決手段】  家具の脚４の下端に、受部材６を嵌着し、これに脚端具１９を取り付けた脚端具取付構造において、受部材６を、内面が上向きに拡開傾斜し、上部７ｂが外方に弾性撓曲するように開口する有底筒状の嵌合部７と、この嵌合部７から水平方向に延設する脚端具受部１０とで形成し、嵌合部７内に、楔部材１４を嵌入させるとともに、脚端具受部１０に、嵌合部７の下方に下向きに開口する凹部１１と、この凹部１１に隣接する脚端具取付部１２とを設け、嵌合部７の内底部７ｃに、凹部１１に臨む通孔１７を設け、この通孔１７に、凹部１１から嵌合部７内に向けてボルト１８を挿入して、楔部材１４と受部材６とを締着することにより、嵌合部７の上部を外方に向けて拡開させ、受部材６を脚４に固定する。【選択図】    図２
2005073790.tif 000002
【特許請求の範囲】
【請求項１】
家具等の脚における開口する下端に、受部材を取外し可能に嵌着し、この受部材に脚端具を取り付けるようにした脚端具取付構造において、前記受部材を、内面が上方に向かって拡開傾斜し、上部が外方に向かって弾性撓曲するように開口する有底筒状の嵌合部と、この嵌合部からほぼ水平方向に向けて延設する脚端具受部とで形成し、かつ、前記嵌合部内に、楔部材を嵌入させて配設するとともに、前記脚端具受部に、前記嵌合部の下方において下向きに開口する凹部と、この凹部の外側に隣接する脚端具取付部とを設け、前記嵌合部の内底部に、前記凹部に臨む通孔を設けて、この通孔に、前記凹部から前記嵌合部内に向けてボルトを挿入し、このボルトをもって、前記楔部材と受部材とを締着することにより、受部材における前記嵌合部の上部を外方に向けて拡開させて、受部材を脚に固定したことを特徴とする脚端具取付構造。
【請求項２】
前記脚を、側面視外方に向け傾斜させて開脚させるとともに、前記受部材の嵌合部を、前記脚の傾斜に応じて傾倒させたことを特徴とする請求項１記載の脚端具取付構造。
【請求項３】
前記嵌合部の上部に、上方が開放する複数の切込部を設けたことを特徴とする請求項１または２記載の脚端具取付構造。
【請求項４】
前記楔部材に、ボルト挿入孔を前記通孔に対応させて設け、前記ボルト挿入孔内に、前記ボルトが螺合する固定ナットを設けたことを特徴とする請求項１〜３のいずれかに記載の脚端具取付構造。
【請求項５】
前記脚端具を、キャスタとしたことを特徴とする請求項１〜４のいずれかに記載の脚端具取付構造。
【発明の詳細な説明】
【技術分野】
【０００１】
本発明は、家具等における脚端具の取付構造に関する。
【背景技術】
【０００２】
従来の脚端具取付構造としては、たとえば特許文献１に示されるように、家具等の脚や支柱（以下、支柱を含めて「脚」という）の下端に、脚端具としてのキャスタを取り付ける場合、角筒状のビームからなる脚の開口下端に、アジャスタ機能を備えた受部材を嵌着し、この受部材にキャスタを取り付けるようにしたものが公知である。
【０００３】
しかし、前記特許文献１では、受部材が、複数の分割体よりなり、脚端具取付部と共に、脚への嵌合部を組み立てるようになっているため、脚への取付作業が面倒であるとともに、部品点数も多くなり、製造コストも高い。
さらに、前記の脚端取付構造は、脚が上下方向を向くものを対象とし、脚が傾斜する場合は、適用し難いという問題がある。
【発明の開示】
【発明が解決しようとする課題】
【０００４】
本発明は、前記の現状に鑑み、受部材を単一化して部品点数を削減し、脚端具の取付作業を簡単に効率よく行うことができるようにするとともに、傾斜する脚に対しても容易に適用することができ、かつ部品点数の削減によってコスト上も有利な脚端具取付構造を提供することを目的とする。
【課題を解決するための手段】
【０００５】
本発明によると、上記課題は、次の各項に記載の発明に基づいて解決される。
（１）家具等の脚における開口する下端に、受部材を取外し可能に嵌着し、この受部材に脚端具を取り付けるようにした脚端具取付構造において、前記受部材を、内面が上方に向かって拡開傾斜し、上部が外方に向かって弾性撓曲するように開口する有底筒状の嵌合部と、この嵌合部からほぼ水平方向に向けて延設する脚端具受部とで形成し、かつ、前記嵌合部内に、楔部材を嵌入させて配設するとともに、前記脚端具受部に、前記嵌合部の下方において下向きに開口する凹部と、この凹部の外側に隣接する脚端具取付部とを設け、前記嵌合部の内底部に、前記凹部に臨む通孔を設けて、この通孔に、前記凹部から前記嵌合部内に向けてボルトを挿入し、このボルトをもって、前記楔部材と受部材とを締着することにより、受部材における前記嵌合部の上部を外方に向けて拡開させて、受部材を脚に固定する。
【０００６】
（２）上記(１)項において、前記脚を、側面視外方に向け傾斜させて開脚させるとともに、前記受部材の嵌合部を、前記脚の傾斜に応じて傾倒させる。
【０００７】
（３）上記(１)項において、前記嵌合部の上部に、上方が開放する複数の切込部を設ける。
【０００８】
（４）上記(１)〜(３)項において、前記楔部材に、ボルト挿入孔を前記通孔に対応させて設け、前記ボルト挿入孔内に、前記ボルトが螺合する固定ナットを設ける。
【０００９】
（５）上記(１)〜(４)項のいずれかにおいて、前記脚端具を、キャスタとする。
【発明の効果】
【００１０】
本発明によると、次のような効果が奏せられる。
(１)前記(１)項に記載の発明によると、受部材を単一化して部品点数を削減しているため、脚端具の取付作業を簡単に効率よく行うことができるとともに、傾斜する脚に対しても容易に適用することができ、かつ部品点数の削減によってコスト上も有利である。
【００１１】
さらに、ボルトを緩めることによって、受部材を脚から簡単に取り外すことができるとともに、受部材、楔部材及び脚端具を完全に分離することができるため、廃棄処理時等における材料毎の分別作業を、都合良く行なうことができる。
【００１２】
(２)上記(２)項に記載の発明によると、脚の傾斜角度がどのような場合においても、脚端具を床面に対して直角に取り付けることができ、水平方向の全方向に対して、キャスタを円滑に作動させることができる。
【００１３】
(３)上記(３)項に記載の発明によると、嵌合部皮に楔部材を嵌入させた際に、受部材の嵌合部の上部を、容易に外方に向けて拡開させることができ、受部材を脚の開口端部に強固に固定させることができる。
【００１４】
(４)上記(４)項に記載の発明によると、ボルトによる楔部材と受部材との締付作業を容易に行うことができる。
【００１５】
(５)上記(５)項に記載の発明によると、上記(２)項と同じ効果が奏せられる。
【発明を実施するための最良の形態】
【００１６】
図１は、本発明の脚端具取付構造を備える椅子の側面図、図２は、図１におけるＡ部の拡大中央縦断面図、図３は、受部材の拡大斜視図、図４は、楔部材の拡大斜視図、図５は、脚と受部材の取付状態を分解して示す要部分解断面図である。
【００１７】
図１に示すように、例えば家具としての椅子本体(１)は、アルミ合金により成型された座フレーム(２)と、背凭れフレーム(３)と、側面視外方に向けて二股状に傾斜させて、前後に開脚する脚(４)(４)とで組立て形成されており、前記座フレーム(２)は、２点破線で示すように、後方に向けて折畳み回動自在になっている。
【００１８】
前記脚(４)は、図２に示すように、下端(4a)が開口する平面視扁平な外向きに拡径された長円筒状をなしており、脚(４)の下端(4a)における開口部(５)には、合成樹脂材料により成形された受部材(６)が取外し可能に嵌着されている。
【００１９】
前記受部材(６)は、図２、図３に示すように、脚(４)の下端(4a)における開口部(５)に嵌入される、上方が開口する有底筒状の嵌合部(７)を備え、この嵌合部(７)は、脚(４)の傾斜に応じて傾倒し、内面(7a)が上方に向かって拡開傾斜しているとともに、上部(7b)に、上方が開放する２本の切込部(８)(８)を切り込むことにより、上部(7b)が外方に向かって弾性撓曲するように形成されている。
【００２０】
前記嵌合部(７)の内底部(7c)側には、前記脚(４)の開口端面(5a)に当接する拡径の段付き顎(９)を介して、脚端具受部(10)が一体に形成されており、この脚端具受部(10)は、前記脚(４)に対して、側面視ほぼ水平方向の外方に向けて延設させている。
【００２１】
前記脚端具受部(10)には、前記嵌合部(７)の下方において下向きに開口する凹部(11)と、この凹部(11)に隣接する脚端具取付部(12)とが形成されているとともに、この脚端具取付部(12)には、下方を開口させた、盲穴状の取付穴(13)が上下方向に設けられている。
【００２２】
前記嵌合部(７)内には、図４に示すように、上方に向かって拡開する楔部材(14)が嵌入可能に配設されており、この楔部材(14)の下半部(14a)は、上方に向かって拡開傾斜し、上半部(14b)の幅が、前記嵌合部(７)の内寸よりもやや大となっている。
【００２３】
前記楔部材(14)には、ボルト挿入孔(15)が上下方向に貫通させて形成されており、このボルト挿入孔(15)の上部には、固定ナット(16)が嵌合される、嵌合溝(15a)が形成されている。
【００２４】
前記楔部材(14)のボルト挿入孔(15)には、前記嵌合部(７)の内底部(7c)に、前記脚端具受部(10)の凹部(11)に臨ませて設けた通孔(17)が連通し、この通孔(17)を通して、脚端具受部(10)における前記凹部(11)から嵌合部(７)内に向けて、有頭状のボルト(18)を挿入して、前記固定ナット(16)に螺合させることにより、前記受部材(６)と楔部材(14)とを締着させてある。
【００２５】
前記脚端具受部(10)における脚端具取付部(12)には、脚端具の一種であるキャスタ(19)が装着されている。このキャスタ(19)は、ローラ(20)と、このローラ(20)を水平方向に回転自在に支持する支持体(21)と、この支持体(21)から上向きの鉛直方向に突出させた圧入杆(22)とで形成されており、この圧入杆(22)を、ゴムリング(23)を介して、前記脚端具取付部(12)の取付穴(13)に圧入することにより、前記脚端具受部(10)にキャスタ(19)を取外し可能に装着させてある。
【００２６】
次に、脚(４)の下端(4a)への受部材(６)の取付要領について説明する。図５に示すように、まず、楔部材(14)を、受部材(６)の嵌合部(７)内に嵌入し、ボルト挿入孔(15)の上部嵌合溝(15a)に、固定ナット(16)を嵌合させた後、通孔(17)を通して、ボルト(18)を脚端具受部(10)における凹部(11)から楔部材(14)のボルト挿入孔(15)に向けて挿入し、ボルト(18)を固定ナット(16)に螺合させて、軽く締めることにより、受部材(６)と楔部材(14)とを仮組みする。
【００２７】
楔部材(14)が仮組みされた受部材(６)の嵌合部(７)を、脚(４)の下端開口部(５)に嵌入し、拡径の段付き顎(９)を、脚(４)の開口端面(5a)に当接させた後、スパナ等をもって、ボルト(18)を固定ナット(16)に強く締め込むと、楔部材(14)は、下方へ引き寄せられる。それにともない楔部材(14)の上半部(14b)は、受部材(６)における嵌合部(７)の内面(7a)を押圧し、嵌合部(７)の上部(7b)を外方に向けて拡開するように弾性撓曲させて、脚(４)の下端内面を強力に圧接する。この圧接によって、受部材(６)は、脚(４)の下端(4a)に強固に固定された状態で取り付けられる。
【産業上の利用可能性】
【００２８】
以上のように、本発明に係る脚端具取付構造は、椅子に限らず、机、キャビネット、書棚、その他の家具等の脚にも有用であり、また、脚端具として、キャスタの他に、滑止め部材や高さ調整用のアジャスタ部材を取り付ける場合にも適している。
【図面の簡単な説明】
【００２９】
【図１】本発明の脚端具取付構造を備える椅子の側面図である。（実施例）
【図２】図１におけるＡ部の拡大中央縦断面図である。
【図３】受部材の拡大斜視図である。
【図４】楔部材の拡大斜視図である。
【図５】脚と受部材の取付状態を分解して示す要部分解断面図である。
【符号の説明】
【００３０】
(１)椅子本体(家具)
(２)座フレーム
(３)背凭れフレーム
(４)脚
(4a)下端
(５)開口部
(5a)開口端面
(６)受部材
(７)嵌合部
(7a)内面
(7b)上部
(7c)内底部
(８)切込部
(９)段付き顎
(10)脚端具受部
(11)凹部
(12)脚端具取付部
(13)取付穴
(14)楔部材
(14a)下半部
(14b)上半部
(15)ボルト挿入孔
(15a)嵌合溝
(16)固定ナット
(17)通孔
(18)ボルト
(19)キャスタ(脚端具)
(20)ローラ
(21)支持体
(22)圧入杆
(23)ゴムリング
【図１】
2005073790.tif 000003
【図２】
2005073790.tif 000004
【図３】
2005073790.tif 000005
【図４】
2005073790.tif 000006
【図５】
2005073790.tif 000007